(57)【特許請求の範囲】
【請求項１】
磁気媒体製造手段の製造ラインにつながり、磁気媒体製造手段から供給される磁気媒体に所定信号を書き込み及び再生するオンライン検査手段と、
基準磁気媒体及び当該磁気媒体製造手段により製造されたサンプルに所定信号を書き込み及び再生し、両再生出力及び当該サンプルの当該オンライン検査手段による再生出力から、当該オンライン検査手段の再生出力に対する基準値を生成する基準値生成手段と、
当該基準値生成手段で生成される当該基準値に従い、当該磁気媒体製造手段により製造される磁気媒体の当該オンライン検査手段による検査結果を判定する判定手段
とを具備する磁気媒体の検査装置であって、
当該基準値生成手段が、
当該磁気媒体製造手段の製造ラインから分離され、当該基準磁気媒体及び当該磁気媒体製造手段により製造されたサンプルに所定信号を書き込み及び再生し、当該サンプルの再生出力を当該基準磁気媒体の再生出力で規格化して出力するオフライン検査手段と、
当該サンプルの当該オンライン検査手段による再生出力及び当該オフライン検査手段の規格化出力から、当該オンライン検査手段の再生出力に対する基準値を生成する換算手段
とを具備することを特徴とする磁気媒体の検査装置。
【請求項２】
磁気媒体製造手段の製造ラインにつながるオンライン検査手段により、当該磁気媒体製造手段から供給されるサンプルに所定信号を書き込み及び再生するサンプル検査ステップと、
基準磁気媒体及び当該サンプルに所定信号を書き込み及び再生し、両再生出力及び当該サンプルのオンライン検査手段による再生出力から、当該オンライン検査手段の再生出力に対する基準値を生成する基準値生成ステップと、
当該基準値生成ステップで生成される当該基準値に従い、当該磁気媒体製造手段により製造される磁気媒体の当該オンライン検査手段による検査結果を判定する判定ステップ
とを具備する磁気媒体の検査方法であって、
当該基準値生成ステップが、
当該磁気媒体製造手段の製造ラインから分離されたオフライン検査手段で、当該基準磁気媒体及び当該サンプルに所定信号を書き込み及び再生し、当該サンプルの再生出力を当該基準磁気媒体の再生出力で規格化して出力する規格化ステップと、
当該サンプルの当該オンライン検査手段による再生出力及び当該オフライン検査手段の規格化出力から、当該オンライン検査手段の再生出力に対する基準値を生成する換算ステップ
とを具備することを特徴とする磁気媒体の検査方法。
【発明の詳細な説明】
【０００１】
【発明の属する技術分野】
本発明は、磁気媒体の検査装置及び方法に関する。
【０００２】
【従来の技術】
磁気媒体は、鉄道切符及び航空切符等の各種のチケット類に幅広く利用されている。例えば、台紙の裏面の全面又は一部に磁性材料を塗布する。塗布された磁性材料の磁気特性は、発注者により異なるのが普通であり、製造段階では、発注者毎の仕様に応じたものになっているかどうかを個別に検査して、納品している。
【０００３】
即ち、磁気媒体の仕様が変更される度に、製造ラインの後段での検査部にこれから製造しようとする磁気媒体の基準磁気特性データをセットし、仕様を満足するもののみを選別して出荷するようにしている。検査部は、通常、所定のデータを指定の電圧又は電流で磁気媒体に書き込んだ後、再生し、その再生電圧が基準値（の範囲）にあるかどうかを検査する。基準磁気特性データをセットする方法としては、指定の仕様の基準となる基準券を当該検査部に通し、所定のデータを指定の電圧又は電流で基準券に書き込んだ後の再生出力電圧を基準値として、検査部の記憶手段にセットする方法がある。
【０００４】
【発明が解決しようとする課題】
従来例では、製造する磁気媒体の仕様が変更される度に、検査部で基準券の読み取りによる基準値のセットを行なわなければならず、面倒であるだけでなく、製造ラインの休止時間が長くなり、生産性を上げにくい一因になっている。
【０００５】
本発明は、このような面倒を解消し、仕様の変更に柔軟に対応できる磁気媒体の検査装置及び方法を提示することを目的とする。
【０００６】
【課題を解決するための手段】
本発明に係る磁気媒体の検査装置は、磁気媒体製造手段の製造ラインにつながり、磁気媒体製造手段から供給される磁気媒体に所定信号を書き込み及び再生するオンライン検査手段と、基準磁気媒体及び当該磁気媒体製造手段により製造されたサンプルに所定信号を書き込み及び再生し、両再生出力及び当該サンプルの当該オンライン検査手段による再生出力から、当該オンライン検査手段の再生出力に対する基準値を生成する基準値生成手段と、当該基準値生成手段で生成される当該基準値に従い、当該磁気媒体製造手段により製造される磁気媒体の当該オンライン検査手段による検査結果を判定する判定手段とを具備する磁気媒体の検査装置であって、当該基準値生成手段が、当該磁気媒体製造手段の製造ラインから分離され、当該基準磁気媒体及び当該磁気媒体製造手段により製造されたサンプルに所定信号を書き込み及び再生し、当該サンプルの再生出力を当該基準磁気媒体の再生出力で規格化して出力するオフライン検査手段と、当該サンプルの当該オンライン検査手段による再生出力及び当該オフライン検査手段の規格化出力から、当該オンライン検査手段の再生出力に対する基準値を生成する換算手段とを具備することを特徴とする。
【０００７】
本発明に係る磁気媒体の検査方法は、磁気媒体製造手段の製造ラインにつながるオンライン検査手段により、当該磁気媒体製造手段から供給されるサンプルに所定信号を書き込み及び再生するサンプル検査ステップと、基準磁気媒体及び当該サンプルに所定信号を書き込み及び再生し、両再生出力及び当該サンプルのオンライン検査手段による再生出力から、当該オンライン検査手段の再生出力に対する基準値を生成する基準値生成ステップと、当該基準値生成ステップで生成される当該基準値に従い、当該磁気媒体製造手段により製造される磁気媒体の当該オンライン検査手段による検査結果を判定する判定ステップとを具備する磁気媒体の検査方法であって、当該基準値生成ステップが、当該磁気媒体製造手段の製造ラインから分離されたオフライン検査手段で、当該基準磁気媒体及び当該サンプルに所定信号を書き込み及び再生し、当該サンプルの再生出力を当該基準磁気媒体の再生出力で規格化して出力する規格化ステップと、当該サンプルの当該オンライン検査手段による再生出力及び当該オフライン検査手段の規格化出力から、当該オンライン検査手段の再生出力に対する基準値を生成する換算ステップとを具備することを特徴とする。
【００１１】
【発明の実施の形態】
以下、図面を参照して、本発明の実施の形態を詳細に説明する。
【００１２】
図１は、本発明の一実施例の概略構成ブロック図を示す。製造ライン１０は、供給される台紙１２に磁気材料を塗布及び乾燥して磁気媒体１４を連続的に製造する。オンライン検査装置１６は、製造ライン１０から供給される磁気媒体１４に、その搬送速度に応じたレートで所定データを書き込み、書き込んだデータを再生して、再生電圧を出力する。
【００１３】
図２は、オンライン検査装置１６の書き込みヘッド及び読み取りヘッドと磁気媒体１４（の磁気ストライプ）との位置関係を示す平面図である。磁気媒体１４の磁気ストライプ３０に対し、その幅方向に４つの書き込みヘッド３２−１〜３２−４を並置すると共に、それぞれ書き込みヘッド３２−１〜３２−４で書き込んだデータを再生する読み取りヘッド３４−１〜３４−４を並置してある。書き込みヘッド３２−１〜３２−４及び読み取りヘッド３４−１〜３４−４は、同じフレーム３６上に固定されている。カメラ３８が磁気ストライプ３０のエッジ部をモニタしており、図示しない位置制御機構により、書き込みヘッド３２−１〜３２−４及び読み取りヘッド３４−１〜３４−４が磁気ストライプ３０の幅方向で一定の位置に位置するように、フレーム３６又は磁気ストライプが位置調節される。
【００１４】
オフライン検査装置１８は、製造ライン１０により製造されたサンプルの特性と基準券の特性とを比較するために設けられる。書き込みヘッドと読み取りヘッドの構成及び磁気媒体に対する位置決め機構は、オンライン検査装置１６と同じである。本格製造前に、基準券２０をオフライン検査装置１８で検査する。オフライン検査装置１８は、セットされた基準券２０に所定データを書き込み及び読み取りし、その再生電圧（平均値）を内部メモリに記憶する。次に、製造ライン１０で製造されたサンプルをオフライン検査装置１８にセットして、同様に所定データを書き込み及び読み取りし、その再生電圧（平均値）を、基準券２０の再生電圧（平均値）で規格化する。
【００１５】
オフライン検査装置１８の規格化出力Ｘ（％）は換算回路２２に印加され、換算回路２２の別の入力には、同じサンプルのオンライン検査装置１６による再生電圧が印加されている。換算回路２２は、オンライン検査装置１６からの再生電圧を規格化出力Ｘ（％）で除算し、その除算結果は、基準値電圧Ｖｒｅｆとして判定回路２４に供給され、セットされる。換算回路２２の換算と判定回路２４へのセットは、オペレータ自身が行なっても良い。
【００１６】
例えば、オフライン検査装置１８で、基準券２０の再生電圧が４．８（Ｖ）で、サンプルの再生電圧が４．０（Ｖ）のとき、規格化出力Ｘは８３．３（％）になる。同じサンプルのオンライン検査装置１６による再生電圧が、０．７（Ｖ）であるとすると、その再生電圧０．７（Ｖ）が基準券２０に対して８３．３（％）になっていることになるので、基準電圧Ｖｒｅｆは、
0003651543.tif 000002
ということになる。
【００１７】
判定回路２４には、オンライン検査装置１６から各読み取りヘッド３４−１〜３４−４の再生電圧出力が供給されている。判定回路２４は、セットされた基準電圧Ｖｒｅｆとオンライン検査装置１６からの再生電圧出力を所定の許容公差範囲内で比較し、良否を判定する。いうまでもなく、良否は、再生電圧の最大値、最小値及び平均値で評価される。
【００１８】
判定回路２４で不良と判定されると、その判定結果は製造条件を変更するために製造ライン１０にフィードバックされる。
【００１９】
オフライン検査装置１８における規格化と換算回路２２による換算は、上記実施例と逆の関係になっても同様に基準電圧を生成できることは、数学的に明らかである。
【００２０】
【発明の効果】
以上の説明から容易に理解できるように、本発明によれば、製造ラインに接続していないオフライン検査装置を設けて、そこで基準券とサンプルを比較し、その比較結果により、製造ラインに接続するオンライン検査装置の検査結果の判定基準値を生成するようにしているので、基準券の変更などに柔軟且つ迅速に対応できるようになる。
【図面の簡単な説明】
【図１】  本発明の一実施例の概略構成ブロック図である。
【図２】  オンライン検査装置１６の書き込みヘッド及び読み取りヘッドと磁気媒体１４の磁気ストライプの位置関係を示す平面図である。
【符号の説明】
１０：製造ライン
１２：台紙
１４：磁気媒体
１６：オンライン検査装置
１８：オフライン検査装置
２０：基準券
２２：換算回路
２４：判定回路
３０：磁気ストライプ
３２−１〜３２−４：書き込みヘッド
３４−１〜３４−４：読み取りヘッド
３６：フレーム
３８：カメラ
【図１】
0003651543.tif 000003
【図２】
0003651543.tif 000004